(57)【要約】  接続フィルムのＩＣチップ等の放熱性を確保しつつ、接続フィルムと表示パネルとの接続部分、又は接続フィルムと駆動基板との接続部分に負荷がかかることが抑制され、断線の発生が抑制された表示装置を提供する。  ＴＶ受信機１は、表示パネル２１を有する表示モジュール２と、箱状をなし、表示モジュール２の一部を収容するＢＬシャーシ２７と、ＢＬシャーシ２７に係止され、表示パネル２１を保持するパネルシャーシ２８と、ＢＬシャーシ２７の底板部２７ａの外面に配され、表示パネル２１を駆動する駆動基板３２と、駆動基板３２と表示パネル２１との端子を接続する接続フィルムと、表示モジュール２の外面の周縁部及び側部を覆うベゼル９とを備える。パネルシャーシ２８は、ベゼル９の前記側部を覆う部分に当接するリブ２８ｅを備える。
2017037923.tif 000002
【特許請求の範囲】
【請求項１】
表示パネルを有する表示部と、
箱状をなし、該表示部の一部を収容する表示部収容体と、
該表示部収容体に係止され、前記表示パネルを保持するパネル保持体と、
前記表示部収容体の底板の外面に配され、前記表示パネルを駆動する駆動基板と、
該駆動基板と前記表示パネルとを接続する接続フィルムと、
前記表示部の外面の周縁部及び側部を覆う枠体と、
前記パネル保持体に設けられ、前記枠体の前記側部を覆う部分に当接するリブと
を備えることを特徴とする表示装置。
【請求項２】
前記枠体の前記周縁部を覆う部分における前記接続フィルムと対向する部分に設けられたスペーサをさらに備えることを特徴とする請求項１に記載の表示装置。
【請求項３】
前記表示部収容体の前記外面に、前記駆動基板の、前記接続フィルムに接続される側と反対側の部分を係止する駆動基板係止部をさらに備えることを特徴とする請求項２に記載の表示装置。
【請求項４】
前記駆動基板係止部は、側面視が鉤状をなし、可撓性を有し、
前記駆動基板は、前記駆動基板係止部の基端部に向かう方向に摺動されて前記駆動基板係止部に係止されるように構成されていることを特徴とする請求項３に記載の表示装置。
【発明の詳細な説明】
【技術分野】
【０００１】
本発明は、映像を表示する表示パネルを有する表示部、表示部を収容する表示部収容体、及び表示部収容体に係止され、表示パネルを保持するパネル保持体を備える表示装置に関する。
【背景技術】
【０００２】
テレビジョン受信機としての液晶テレビジョン受信機は、前側で映像を表示する表示パネル，表示パネルの後側に光を照射するバックライトユニットを有する表示モジュールと、表示モジュールの前後を挟むようにして収容するフロントキャビネット及びリアキャビネットとを備える。
エッジライト型の場合、表示モジュールは、表示パネルと、光学シートと、導光板と、反射シートと、ＬＥＤ基板と、導光板ホルダと、ヒートスプレッダと、ＢＬシャーシ（バックライトシャーシ）と、パネルシャーシとを備える。【０００３】
表示パネルは、カラーフィルタ基板と、液晶層と、ＴＦＴ基板と、偏光板とを有する。カラーフィルタ基板とＴＦＴ基板とはシール材を挟んで互いに貼り合わされており、その間に液晶層が介在されている。
ＢＬシャーシは、表示パネル側が開口された略箱状をなす。そして、ＢＬシャーシに、導光板、反射シート、ＬＥＤ基板、導光板ホルダ、及びヒートスプレッダが収納されている。【０００４】
パネルシャーシは枠状をなす。表示パネルは、ベゼル（又はフロントキャビネット）とパネルシャーシとにより挟持されている。
パネルシャーシの側面側部分はＢＬシャーシの側板部に係止されている。
以上の構成により、表示パネルとバックライトユニットとが一体化されている。
ＬＥＤ基板から発光した光は、導光板の例えば長側面から入射し、主面から出射して、表示パネルの背面が照射される。【０００５】
例えば特許文献１に開示されているように、ＢＬシャーシの底板部の外面の下側の長辺部分に沿って、駆動基板（ソース基板）が設けられ、該駆動基板は、以下のようにして表示パネルと接続されている。
表示パネルのＴＦＴ基板の下側の長辺部分には、複数のソース側の接続端子（不図示）が形成されており、ＳＯＦ（System On Film）等の矩形状の接続フィルムの一方の長辺部分には、前記接続端子に接続される接続端子が形成されている。両接続端子は異方性導電膜により圧着されている。
駆動基板の下側の長辺部分には複数の接続端子が形成され、接続フィルムの他方の長辺部分には、前記接続端子に接続される接続端子が形成されている。両接続端子は異方性導電膜により圧着されている。【０００６】
接続フィルムのフィルム状の基材には、液晶の駆動用のＩＣチップが実装されており、接続フィルムの外面が、金属製のベゼルの内面に密着することで、ＩＣチップの熱が放熱されるように構成されている。【０００７】
以上のように構成された従来の表示装置においては、上述のＩＣチップの放熱性を確保するために、ベゼルと、接続フィルムとを接触させるときに、組立ばらつきにより接続フィルムを強く押してしまうことがある。この場合、上述のＴＦＴ基板の接続端子と接続フィルムの接続端子との圧着部、又は駆動基板の接続端子と接続フィルムの他方の接続端子との圧着部に負荷がかかり、断線が生じることがあった。
【先行技術文献】
【特許文献】
【０００８】
【特許文献１】特開２０１４−０８２２０２号公報
【発明の概要】
【発明が解決しようとする課題】
【０００９】
本発明は斯かる事情に鑑みてなされたものであり、接続フィルムのＩＣチップ等の放熱性を確保しつつ、接続フィルムと表示パネルとの接続部分、又は接続フィルムと駆動基板との接続部分に負荷がかかることが抑制され、断線の発生が抑制された表示装置を提供することを目的とする。
【課題を解決するための手段】
【００１０】
本発明に係る表示装置は、表示パネルを有する表示部と、箱状をなし、該表示部の一部を収容する表示部収容体と、該表示部収容体に係止され、前記表示パネルを保持するパネル保持体と、前記表示部収容体の底板の外面に配され、前記表示パネルを駆動する駆動基板と、該駆動基板と前記表示パネルとを接続する接続フィルムと、前記表示部の外面の周縁部及び側部を覆う枠体と、前記パネル保持体に設けられ、前記枠体の前記側部を覆う部分に当接するリブとを備えることを特徴とする。【００１１】
本発明においては、パネル保持体と枠体との間隔を一定に保持することができ、枠体が接続フィルムを押圧する力が一定量以下になるように制御することができる。従って、接続フィルムのＩＣチップ等の放熱性を確保しつつ、接続フィルムと表示パネルとの接続部分、又は接続フィルムと駆動基板との接続部分にかかる負荷が軽減され、断線の発生が抑制されている。【００１２】
本発明に係る表示装置は、前記枠体の前記周縁部を覆う部分における前記接続フィルムと対向する部分に設けられたスペーサをさらに備えることを特徴とする。【００１３】
本発明においては前記部分にスペーサを備えるので、接続フィルムの表示パネル側部分は撓むことなく、強制的に伸ばされる。従って、接続フィルムと表示パネルとの接続部分の負荷がより軽減され、断線の発生が抑制されている。【００１４】
本発明に係る表示装置は、前記表示部収容体の前記外面に、前記駆動基板の、前記接続フィルムに接続される側と反対側の部分を係止する駆動基板係止部を備えることを特徴とする。【００１５】
本発明においては、駆動基板係止部は、表示部収容体の、駆動基板と接続フィルムとの接続側と反対側の部分に設けられているので、係止は柔軟性を有する。従って、接続フィルムの表示パネル側部分が伸ばされることで逃された撓みを吸収するように、駆動基板を係止することで、接続フィルムと駆動基板との接続部分の負荷が軽減され、断線の発生が抑制されている。【００１６】
本発明に係る表示装置は、前記駆動基板係止部は、側面視が鉤状をなし、可撓性を有し、前記駆動基板は、前記駆動基板係止部の基端部に向かう方向に摺動されて前記駆動基板係止部に係止されるように構成されていることを特徴とする。【００１７】
本発明においては、駆動基板を摺動させ、適切な位置に位置決めした後、駆動基板を駆動基板係止部に係止することができ、接続フィルムと駆動基板との接続部分の負荷がより良好に軽減され、断線の発生が抑制される。そして、駆動基板の表示部収容体への固定は容易である。
【発明の効果】
【００１８】
本発明の表示装置によれば、パネル保持体は、枠体の表示部側部を覆う部分に当接するリブを備えるので、パネル保持体と枠体との間隔を一定に保持することができ、枠体が接続フィルムを押圧する力を一定量以下になるように制御することができる。従って、接続フィルムのＩＣチップ等の放熱性を確保しつつ、接続フィルムと表示パネルとの接続部分、又は接続フィルムと駆動基板との接続部分にかかる負荷を軽減し、断線の発生を抑制することが可能である。
【図面の簡単な説明】
【００１９】
【図１】実施の形態１に係るＴＶ受信機の斜視図である。
【図２】実施の形態１に係る表示モジュールを示す一部縦断面図である。
【図３】図２と異なる位置で切断した状態を示す一部縦断面図である。
【図４】パネルシャーシを示す斜視図である。
【図５】実施の形態２に係る表示モジュールを示す一部縦断面図である。
【図６】実施の形態３に係る表示モジュールを示す一部縦断面図である。
【図７】実施の形態３に係る表示モジュールを示す一部縦断面図である。
【図８】実施の形態３に係る表示モジュールを示す一部縦断面図である。
【発明を実施するための形態】
【００２０】
以下、本発明をその実施の形態を示す図面に基づいて具体的に説明する。
実施の形態１．
図１は本発明の実施の形態１に係るＴＶ受信機１の斜視図、図２は表示モジュール２を示す一部縦断面図、図３は図２と異なる位置で切断した状態を示す一部縦断面図、図４はパネルシャーシ２８を示す斜視図である。
【００２１】
ＴＶ受信機１は、表示パネル２１を有する表示モジュール２と、該表示モジュール２を挟むようにして収容するアルミニウム製のフロントキャビネット３及び合成樹脂製のリアキャビネット４と、アンテナ（不図示）から放送波を受信するチューナ６と、符号化された放送波を復号するデコーダ７と、スタンド８とを備える。表示モジュール２は、全体として横長の略直方体状をなし、縦姿勢でフロントキャビネット３及びリアキャビネット４内に収容されている。
【００２２】
フロントキャビネット３は、矩形枠状をなす。
リアキャビネット４は、表示モジュール２の側面及び背面を覆うように箱状をなしている。
【００２３】
図２に示すように、表示モジュール２は、表示パネル２１と、光学シート２２と、導光板２３と、反射シート２４と、導光板ホルダ２５と、ヒートスプレッダ２６と、ＢＬシャーシ２７と、パネルシャーシ２８と、複数の接続フィルム２９と、複数のＩＣチップ３０と、基板ホルダ３１と、駆動基板（ソース基板）３２と、ＬＥＤ基板３４と、複数のＬＥＤ３５とを備える。
表示動作の際には、導光板２３から面状の光が出射され、その光によって表示パネル２１の背面が照明される。
【００２４】
枠状をなすベゼル９は、表示モジュール２の外面の周縁部及び側部を覆う。ベゼル９は、さらにフロントキャビネット３により覆われる。
なお、フロントキャビネット３がベゼル９を兼ねる、即ち、フロントキャビネット３が直接表示モジュール２の外面の周縁部及び側部を覆うものであってもよい。
【００２５】
ＢＬシャーシ２７は、表示パネル２１側が開口された略箱状をなす。そして、ＢＬシャーシ２７に、導光板２３、反射シート２４、導光板ホルダ２５、ヒートスプレッダ２６、ＬＥＤ基板３４、及びＬＥＤ３５が収納されている。
ＢＬシャーシ２７の底板部２７ａの外面には、前記チューナ６、デコーダ７、及びＣＰＵ等を備えるメイン基板（不図示）、駆動基板３２、及びゲート基板（不図示）が設けられている。
【００２６】
表示パネル２１は、カラーフィルタ基板と、液晶層と、ＴＦＴ基板と、偏光板とを有する。カラーフィルタ基板とＴＦＴ基板とはシール材を挟んで互いに貼り合わされており、その間に液晶層が介在されている。そして、偏光板は、カラーフィルタ基板及びＴＦＴ基板の液晶層側とは反対側の面上に夫々配されている。
【００２７】
導光板２３は矩形板状をなす。導光板２３の下側の長側面が、導光板２３内に光を導入するための光入射面として機能し、該長側面から導光板２３内へ導入された光は、導光板２３の主面から表示パネル２１側に向かって出射する。
【００２８】
光学シート２２は、拡散シート、レンズシート及びＤＢＥＦシート（反射型偏光シート）等を含むシート群であり、導光板２３の主面側に配されている。そして、この光学シート２２によって、導光板２３の主面から出射された光の拡散及び集光等が行われる。
【００２９】
ＬＥＤ基板３４は、導光板２３内へ導入する光を生成し、導光板２３の前記長側面側に配されている。ＬＥＤ基板３４の基板本体の平面に、複数のＬＥＤ３５が実装されている。
【００３０】
ヒートスプレッダ２６は、ＬＥＤ基板３４が取り付けられるＬＥＤ取付部２６ａと、ＢＬシャーシ２７の底板部２７ａの内面に当接される当接部２６ｂとを備える。ＬＥＤ取付部２６ａと当接部２６ｂとは、側面視でＬ字状をなしている。
導光板２３の裏面には反射シート２４が配され、ヒートスプレッダ２６と反射シート２４との間には、導光板ホルダ２５が介在されている。
【００３１】
パネルシャーシ２８は、パネル支持部２８ａ、シャーシ被覆部２８ｂ、ヒートスプレッダ支持部２８ｃ、及びシャーシ支持部２８ｄを備える。パネルシャーシ２８は略枠状をなし、パネル支持部２８ａ及びシャーシ被覆部２８ｂと、シャーシ支持部２８ｄとが、側面視で略Ｌ字状をなしている。
【００３２】
表示パネル２１の表面の周縁部とベゼル９との間に緩衝部材（不図示）が介在し、表示パネル２１の裏面の周縁部とパネル支持部２８ａとの間に緩衝部材（不図示）が介在する状態で、表示パネル２１はベゼル９及びパネル支持部２８ａに挟持されている。
【００３３】
シャーシ被覆部２８ｂは表示パネル支持部２８ａの、パネル面方向の外側に連設されており、シャーシ被覆部２８ｂの裏側の下端部寄りの部分に直角にヒートスプレッダ支持部２８ｃが突設され、ヒートスプレッダ２６のＬＥＤ取付部２６ａを支持している。シャーシ被覆部２８ｂの裏側の下端部には直角にシャーシ支持部２８ｄが突設され、ＢＬシャーシ２７の側板部２７ｂを支持している。即ち、ヒートスプレッダ支持部２８ｃ及びシャーシ支持部２８ｄは側板部２７ｂに係止されている。
導光板ホルダ２５はヒートスプレッダ２６と、反射シート２４及び導光板２３との間に介在する。
導光板２３は、導光板ホルダ２５と、パネル支持部２８ａの裏面とにより挟持されている。
【００３４】
ＢＬシャーシ２７の底板部２７ａの外面には、該外面の下側の長辺部分に沿って、基板ホルダ３１が設けられている。
基板ホルダ３１は、横長の矩形状をなす基板当接部３１ａと、基板当接部３１ａの下端縁部に直角に設けられたシャーシ支持部３１ｂと、基板当接部３１ａの上端縁部に直角に設けられ、シャーシ支持部３１ｂと反対側に突出した突出部３１ｃとを備える。
基板当接部３１ａに、横長の矩形板状をなす駆動基板３２が当接されている。シャーシ支持部３１ｂに、ＢＬシャーシ２７の側板部２７ｂが支持される。ＢＬシャーシ２７の側板部２７ｂは段状をなし、上側で底板部２７ａに連設された上段部がシャーシ支持部３１ｂに支持され、下段部が上述のシャーシ支持部２８ｄに支持されている。
【００３５】
接続フィルム２９は横長の矩形状をなす。接続フィルム２９は、絶縁性及び可撓性を有する例えばポリイミド系樹脂等の合成樹脂からなるフィルム状の基材と、その基材上に実装された液晶の駆動用のＩＣチップ３０とを備えている。
表示パネル２１のＴＦＴ基板の下側の長辺部分には複数の接続端子（不図示）が形成され、接続フィルム２９の一方の長辺部分には、前記接続端子に接続される接続端子が形成されている。両接続端子は異方性導電膜により圧着され、圧着部３３が形成されている。
駆動基板３２の下側の長辺部分には複数の接続端子（不図示）が形成され、接続フィルム２９の他方の長辺部分には、前記接続端子に接続される接続端子が形成されている。両接続端子は異方性導電膜により圧着され、圧着部３６が形成されている。
【００３６】
本実施の形態においては、図３及び図４に示すように、パネルシャーシ２８のシャーシ支持部２８ｄの下面の、接続フィルム２９が対向しない複数箇所に、下側に突出するリブ２８ｅを備える。リブ２８ｅは、シャーシ支持部２８ｄの突出方向に沿って延びる。
図４に示すように、リブ２８ｅの幅は設置箇所によって異なってもよい。
【００３７】
リブ２８ｅはベゼル９の内面に当接している。
これにより、パネルシャーシ２８のシャーシ支持部２８ｄとベゼル９との間隔を一定に保持することができ、ベゼル９が接続フィルム２９を押す力が一定量以下になるように制御することができる。従って、接続フィルム２９のＩＣチップ３０の放熱性を確保しつつ、接続フィルム２９と表示パネル２１との圧着部３３、又は接続フィルム２９と駆動基板３２との圧着部３６にかかる負荷が軽減し、断線の発生が抑制されている。
【００３８】
実施の形態２．
実施の形態２に係る表示モジュール２は、さらにスペーサ３７を備えること以外は、実施の形態１に係る表示モジュール２と同様の構成を有する。
図５は、実施の形態２に係る表示モジュール２を示す縦断面図である。図中、図２と同一部分は同一符号を付して詳細な説明を省略する。
【００３９】
本実施の形態においては、ベゼル９の裏面の、接続フィルム２９に対向し、かつ圧着部３３寄りの部分に、スペーサ３７が設けられている。
このスペーサ３７により接続フィルム２９のパネル側部分は撓むことなく、強制的に下側に向かって直線状に伸ばされる。
従って、接続フィルム２９のパネル側部分の撓みによる圧着部３３の負荷が軽減されている。
【００４０】
実施の形態３．
実施の形態３に係る表示モジュール２は、さらに基板係止部３８を備えること以外は、実施の形態２に係る表示モジュール２と同様の構成を有する。
図６、図７及び図８は、実施の形態３に係る表示モジュール２を示す一部縦断面図である。図中、図２と同一部分は同一符号を付して詳細な説明を省略する。
【００４１】
本実施の形態においては、基板ホルダ３１の当接部３１ａの突出部３１ｃ側、即、駆動基板３２と接続フィルム２９との接続部分（圧着部３６）と反対側の部分に基板係止部３８を備える。
基板係止部３８は側面視が鉤状をなし、下端部に駆動基板３２の平面を押圧する突起部３８ａを有する。
【００４２】
基板係止部３８は絶縁性及び可撓性を有する例えばポリイミド系樹脂等の合成樹脂からなる。従って、基板支持部３８は外側に開けることができ、駆動基板３２を上下方向に摺動させて適宜の位置に位置決めした後、基板係止部３８を閉じることで、駆動基板３２の上端部を基板係止部３８に係止することができる。
スペーサ３７により、接続フィルム２９は撓むことなく、下端部に向かって真っ直ぐ伸びる。そして、図７に示すように、撓みは圧着部３６側に逃されるので、しわ寄せを吸収するように基板係止部３８を外側に開き、駆動基板３２を、基板係止部３８の基端部に向かうように摺動させる。
【００４３】
図８に示すように、適宜の位置に位置決めし、即ち、接続フィルム２９の圧着部３６側の部分を直線状に伸ばした後、突起部３８ａにより接続フィルム２９を押圧して基板係止部３８を閉じることにより、駆動基板３２は基板係止部３８に係止され、ＢＬシャーシ２７に固定される。
これにより、接続フィルム２９の駆動基板３２側部分の撓みによる圧着部３６の負荷も軽減されている。
【００４４】
以上のように、本実施の形態においては、基板係止部３８は駆動基板３２の、接続フィルム２９に接続される側と反対側の部分に設けられているので、係止は柔軟性を有する。従って、接続フィルム２９の表示パネル２１側部分が伸ばされることで逃された撓みを吸収するように、駆動基板３２を係止することで、接続フィルム２９と駆動基板３２との圧着部３６の負荷が軽減され、断線の発生が抑制される。
そして、駆動基板３２のＢＬシャーシ２７への固定が容易である。
【００４５】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
例えば前記実施の形態においては、駆動基板として駆動基板３２を適用した場合につき説明しているが、これに限定されるものではない。駆動基板としてゲート基板を適用することも可能である。
また、表示モジュール２も導光板２３の長側面から光が入射するエッジライト型に限定されるものではなく、導光板２３の短側面から光が入射するものであってもよく、また直下型であってもよい。
【符号の説明】
【００４６】
１  ＴＶ受信機
２  表示モジュール
３  フロントキャビネット
４  リアキャビネット
９  ベゼル
２１  表示パネル
２２  光学シート
２３  導光板
２４  反射シート
２５  導光板ホルダ
２６  ヒートスプレッダ
２７  ＢＬシャーシ
２７ａ  底板部
２７ｂ  側板部
２８  パネルシャーシ
２８ｅ  リブ
２９  接続フィルム
３０  ＩＣチップ
３１  基板保持部
３２  駆動基板
３３、３６  圧着部
３４  ＬＥＤ基板
３５  ＬＥＤ
３７  スペーサ
３８  基板係止部
３８ａ  突起部
【図１】
2017037923.tif 000003
【図２】
2017037923.tif 000004
【図３】
2017037923.tif 000005
【図４】
2017037923.tif 000006
【図５】
2017037923.tif 000007
【図６】
2017037923.tif 000008
【図７】
2017037923.tif 000009
【図８】
2017037923.tif 000010
【国際調査報告】
2017037923.tif 000011
2017037923.tif 000012
2017037923.tif 000013
2017037923.tif 000014